(57)【要約】【課題】インピーダンス調整を行うＲＦタグ回路に接続され、起動と停止を繰り返す負荷の駆動時間を短縮する。【解決手段】ＲＦタグ回路は、整流回路と、マッチング回路と、指示回路と、制御部とを備える。整流回路は、アンテナが受信した電波を整流して直流電力を供給する。マッチング回路は、アンテナと整流回路との間に配置され、インピーダンスが可変である。制御部は、負荷の起動と停止を繰り返し制御する。指示回路は、ＲＦタグ回路とアンテナとの間のインピーダンスが不整合である場合に、インピーダンス調整の開始を指示する調整指示を制御部に送信する。制御部は、指示回路から調整指示を受信すると、負荷を起動してから停止するまでの時間である駆動時間を延長するとともに、整流回路から供給される直流電力が大きくなるようにマッチング回路のインピーダンスを負荷の駆動中に調整する。【選択図】図１
2019054396.tif 000002
【特許請求の範囲】
【請求項１】
アンテナと負荷とに接続されるＲＦタグ回路であって、
前記アンテナが受信した電波を整流して直流電力を供給する整流回路と、
前記アンテナと前記整流回路との間に配置された、インピーダンスが可変なマッチング回路と、
前記負荷の起動と停止を繰り返し制御する制御部と、
前記ＲＦタグ回路と前記アンテナとの間のインピーダンスが不整合である場合に、インピーダンス調整の開始を指示する調整指示を前記制御部に送信する指示回路と、を備え、
前記制御部は、前記指示回路から前記調整指示を受信すると、前記負荷を起動してから停止するまでの時間である駆動時間を延長するとともに、前記整流回路から供給される直流電力が大きくなるように前記マッチング回路のインピーダンスを前記負荷の駆動中に調整する、
ＲＦタグ回路。
【請求項２】
前記ＲＦタグ回路と前記アンテナとの間のインピーダンスが不整合である場合は、前記整流回路から供給される直流電圧が前記負荷の起動に伴う電圧降下により所定の閾値以下となる場合を含む、
請求項１に記載のＲＦタグ回路。
【請求項３】
前記ＲＦタグ回路と前記アンテナとの間のインピーダンスが不整合である場合は、前記アンテナを介した無線通信により前記負荷を利用する装置から受信した前記負荷に対するコマンドの実行結果がエラーであった場合を含む、
請求項１または２に記載のＲＦタグ回路。
【請求項４】
前記ＲＦタグ回路と前記アンテナとの間のインピーダンスが不整合である場合は、前記アンテナを介した無線通信により前記負荷を利用する装置からインピーダンス調整の指示を受信した場合を含む、
請求項１から３のいずれか一項に記載のＲＦタグ回路。
【請求項５】
起動された前記負荷に前記整流回路から供給される電力が安定するまでの時間を示す時間情報を記憶する記憶部をさらに備え、
前記制御部は、前記指示回路から前記調整指示を受信すると、前記負荷を起動してから前記記憶部に記憶された前記時間情報で示される時間が経過してから、前記インピーダンスの調整を開始する、
請求項１から４のいずれか一項に記載のＲＦタグ回路。
【請求項６】
前記整流回路から供給される電圧の変動幅が所定の範囲内であることを検出する変動検出回路をさらに備え、
前記制御部は、前記指示回路から前記調整指示を受信すると、前記変動検出回路によって前記電圧の変動幅が所定の範囲内であることが検出されてから、前記インピーダンスの調整を開始する、
請求項１から４のいずれか一項に記載のＲＦタグ回路。
【請求項７】
前記制御部は、前記負荷を所定の周期で起動する、
請求項１から６のいずれか一項に記載のＲＦタグ回路。
【発明の詳細な説明】
【技術分野】
【０００１】
本発明は、アンテナと負荷とに接続されるＲＦタグ回路に関する。
【背景技術】
【０００２】
近年、ＲＦタグの発展は目覚ましく、本来の個体識別用途以外にも受信した電波によって供給される電力をエネルギー源として、センサ、ＬＥＤ、ＩＣ、マイコン、通信回路、ＲＦタグ回路等によって例示される負荷を駆動する用途が増えている。これら負荷の動作には、安定的に電力が供給されるよう、ＲＦタグにおいて受け取る電力をより大きくすることが好ましい。このようなＲＦタグでは、アンテナとＲＦタグ回路との間のインピーダンスの不整合により負荷に対する給電能力が低下することがある。インピーダンスの不整合は、例えば、金属片や水、油などの誘電体がアンテナに付着する、もしくは接近することでアンテナのインピーダンス変化に起因して生じることがある。そのため、アンテナとＲＦタグ回路との間のインピーダンスを整合させる技術が提案されている（例えば、特許文献１参照）。
【先行技術文献】
【特許文献】
【０００３】
【特許文献１】特開平７−１１１４７０号公報
【発明の概要】
【発明が解決しようとする課題】
【０００４】
電波によって供給されるエネルギーは、負荷の駆動と通信等のその他の処理とを同時に行うには不足することが多い。そのため、ＲＦタグ回路では、負荷は所定周期で起動されて駆動し、負荷が駆動していないときにその他の処理が実行されることが多い。
【０００５】
インピーダンスの調整では、ＲＦタグ回路のインピーダンスを変更しながら電力が増加するようにインピーダンス値が探索される。負荷が駆動していないときは電圧が飽和（例えば、リミッターによる制限値に達している状態）しているため、負荷が駆動していないときにインピーダンス調整を行っても電力の上昇を検出できず、適切なインピーダンス調整を行うことが困難となる。そのため、インピーダンス調整は負荷の駆動中に行われることが好ましい。しかしながら、インピーダンスの調整を負荷の駆動中に行う場合、負荷は処理を終えてもインピーダンス調整が完了するまでの間は継続して駆動することになる。そのため、負荷の駆動時間が長くなってしまい、所定周期において通信等の他の処理を実行する時間が減少する可能性がある。
【０００６】
そこで、開示の技術の１つの側面は、インピーダンス調整を行うＲＦタグ回路に接続され、起動と停止を繰り返す負荷の駆動時間を短縮することを目的とする。
【課題を解決するための手段】
【０００７】
本開示の一例は、アンテナと負荷とに接続されるＲＦタグ回路によって例示される。ＲＦタグ回路は、整流回路と、マッチング回路と、指示回路と、制御部とを備える。整流回路は、アンテナが受信した電波を整流して直流電力を供給する。マッチング回路は、アンテナと整流回路との間に配置され、インピーダンスが可変である。制御部は、負荷の起動と停止を繰り返し制御する。指示回路は、ＲＦタグ回路とアンテナとの間のインピーダンスが不整合である場合に、インピーダンス調整の開始を指示する調整指示を制御部に送信する。制御部は、指示回路から調整指示を受信すると、負荷を起動してから停止するまでの時間である駆動時間を延長するとともに、整流回路から供給される直流電力が大きくな
るようにマッチング回路のインピーダンスを負荷の駆動中に調整する。
【０００８】
上記構成において、負荷は、受信した電波によって供給される電力をエネルギー源として駆動する素子である。負荷は、例えば、センサ、ＬＥＤ、ＩＣ、マイコン、通信回路、ＲＦタグ回路等である。マッチング回路は可変インピーダンス素子を含む。可変インピーダンス素子は、例えば、複数のコンデンサを組み合わせた回路であってもよいし、バラクタダイオードのようなアナログ制御素子であってもよい。上記構成では、ＲＦタグ回路とアンテナとの間のインピーダンスが不整合である場合にインピーダンスの調整が実行され、インピーダンスの調整時には負荷の駆動時間が制御部によって延長される。そのため、インピーダンス調整を行わないときの負荷の駆動時間は負荷の応答速度に応じて決定されればよい。その結果、インピーダンス調整を行うタグ回路に接続され、所定の周期で起動される負荷の駆動時間を短縮できる。なお、駆動時間の延長およびインピーダンスの調整の実施のタイミングは、指示回路から調整指示を受信した直後に限定されない。制御部は、調整指示の受信以降における任意のタイミングで駆動時間を延長してインピーダンスの調整を実行すればよい。
【０００９】
上記構成において、ＲＦタグ回路とアンテナとの間のインピーダンスが不整合である場合は、整流回路が生成する電圧が負荷の起動に伴う電圧降下により所定の閾値未満となる場合を含んでもよい。所定の閾値は、例えば、負荷を安定して動作させることが可能な電圧を基に決定される。整流回路が生成する電圧が負荷の起動に伴う電圧降下により所定の閾値未満となる場合、例えば、負荷を安定して動作させることが困難となる。そのため、このような構成とすることで、ＲＦタグ回路は負荷を安定して動作させることが困難な場合にインピーダンスの調整を実行できる。
【００１０】
上記構成において、ＲＦタグ回路とアンテナとの間のインピーダンスが不整合である場合は、アンテナを介した無線通信により負荷を利用する装置（例えば、リーダライタ装置や通信インタフェース）から受信した負荷に対するコマンドの実行結果がエラーであった場合を含んでもよい。負荷に対するコマンドの実行結果がエラーである場合、アンテナとＲＦタグ回路とのインピーダンスの不整合による影響で整流回路が生成する電力が低下し、その結果、負荷が安定動作していない場合が考えられる。そのため、このような構成とすることで、ＲＦタグ回路は負荷が安定動作していない場合にインピーダンスの調整を実行できる。
【００１１】
上記構成において、ＲＦタグ回路とアンテナとの間のインピーダンスが不整合である場合は、アンテナを介した無線通信により負荷を利用する装置からインピーダンス調整の指示を受信したこと場合を含んでもよい。負荷を利用する装置は、例えば、負荷からの応答でエラーを受信した場合や負荷に対してコマンドを送信する場合等にインピーダンス調整の指示を送信する。そのため、このような構成とすることで、ＲＦタグ回路は負荷を利用する装置からの指示に応じてインピーダンスの調整を実行できる。
【００１２】
上記構成において、指示回路は、起動された負荷に整流回路から供給される電力が安定するまでの時間を示す時間情報を記憶する記憶部をさらに備えてもよい。この場合、制御部は、指示回路から調整指示を受信すると、負荷を起動してから記憶部に記憶された時間情報で示される時間が経過してから、インピーダンスの調整を開始する。このような構成とすることで、ＲＦタグ回路に接続される負荷を時定数の異なる負荷に交換しても、補助記憶部に記憶される時間情報を書き換えることで、ＲＦタグ回路は交換した負荷のインピーダンス調整を適切に実行できる。
【００１３】
上記構成において、整流回路から供給される電圧の変動幅が所定の範囲内であることを検出する変動検出回路をさらに備えてもよい。この場合、制御部は、指示回路から調整指
示を受信すると、変動検出回路によって電圧の変動幅が所定の範囲内であることが検出されてから、インピーダンスの調整を開始する。このような構成とすることで、整流回路から供給される電力の変動幅が安定するまでの時間に変動があっても、ＲＦタグ回路は適切にインピーダンス調整を行うことができる。さらに、上記構成において、負荷は所定の周期で起動されてもよい。
【発明の効果】
【００１４】
本ＲＦタグ回路は、インピーダンス調整を行うタグ回路に接続された負荷の駆動時間を短縮することができる。
【図面の簡単な説明】
【００１５】
【図１】図１は、実施形態に係るＲＦタグ回路の構成および使用態様の一例を示す図である。
【図２】図２は、マッチング回路の構成の一例を示す図である。
【図３】図３は、マッチング回路の可変容量の構成の一例を示す図である。
【図４】図４は、整流回路の構成の一例を示す図である。
【図５】図５は、負荷制御回路の構成の一例を示す図である。
【図６】図６は、調整トリガ生成回路の構成の一例を示す図である。
【図７】図７は、インピーダンス調整制御回路の構成の一例を示す図である。
【図８】図８は、インピーダンス調整制御回路によるインピーダンス調整フローの一例を示す図である。
【図９】図９は、実施形態に係る処理フローの一例を示す図である。
【図１０】図１０は、実施形態におけるインピーダンス調整の処理フローの一例を示す図である。
【図１１】図１１は、実施形態における整流回路から出力される電源電圧の変動の一例を示す図である。
【図１２】図１２は、整流回路からの電源電圧と負荷制御信号、インピーダンス調整開始命令の波形の一例を示す図である。
【図１３】図１３は、所定の周期で実行される処理の一例を示す図である。
【図１４】図１４は、第１変形例に係るＲＦタグ回路の構成の一例を示す図である。
【図１５】図１５は、第２変形例に係るＲＦタグ回路の構成の一例を示す図である。
【図１６】図１６は、第２変形例に係る調整トリガ生成回路の構成の一例を示す図である。
【発明を実施するための形態】
【００１６】
以下、図面を参照して、実施形態について説明する。以下に示す実施形態の構成は例示であり、開示の技術は実施形態の構成に限定されない。
【００１７】
＜第１実施形態＞
図１は、実施形態に係るＲＦタグ回路１０の構成および使用態様の一例を示す図である。ＲＦタグ回路１０は、アンテナ２０および負荷３０に接続される。ＲＦタグ回路１０は、リーダライタ装置４０が無線にて、負荷３０を利用できるシステムを構築する回路である。負荷３０は、受信した電波によって供給される電力をエネルギー源として駆動する素子である。負荷３０は、例えば、センサ、ＬＥＤ、ＩＣ、マイコン、通信回路、ＲＦタグ回路等である。ＲＦタグ回路１０は、リーダライタ装置４０から受信する電波をエネルギー源として負荷３０を駆動させる回路である。ＲＦタグ回路１０は、負荷３０を所定の周期で起動して駆動し、負荷を駆動していない期間に通信等の他の処理を実行する。ＲＦタグ回路１０は、ワイヤレス給電回路、ワイヤレス給電装置ということもできる。また、ＲＦタグ回路１０に接続された負荷３０は、ワイヤレスセンサということもできる。ＲＦタグ回路１０は、例えば、ＩＣチップ、ディスクリート部品を組み合わせた回路、ＩＣチッ
プとディスクリート部品を組み合わせた回路のいずれかとして実現されるものである。また、リーダライタ装置４０は、例えば、コンピュータ等の上位装置４３に、アンテナ４１が取り付けられたリーダライタ４２を接続した装置である。負荷３０は、「負荷」の一例である。
【００１８】
ＲＦタグ回路１０は、例えば、リーダライタ装置４０からの電波を受信するアンテナ２０と、リーダライタ装置４０に利用させる負荷３０とに接続される回路である。ＲＦタグ回路１０は、マッチング回路１１、整流回路１２、負荷制御回路１３、インピーダンス調整制御回路１４、制御部／記憶部１５、調整トリガ生成回路１６および通信回路１８を備える。
【００１９】
マッチング回路１１は、アンテナ２０とＲＦタグ回路１０内の回路とのインピーダンスを整合させるための回路である。マッチング回路１１は、アンテナ２０と整流回路１２との間に配置される。マッチング回路１１の具体的な回路構成は特に限定されない。マッチング回路１１の回路構成は、例えば、図２に例示するように、２つのインダクタ５１、５２と、インピーダンス調整制御回路１４からの調整信号により容量を変更可能な可変容量コンデンサ５３とを組合せた回路であってもよい。インピーダンス調整制御回路１４から受信する調整信号によって容量を変更可能な可変容量コンデンサ５３としては、例えば、互いに容量の異なるコンデンサＣ１〜Ｃ５とスイッチＳＣ１〜ＳＣ５とを図３に例示するように組み合わせた回路を使用することができる。また、マッチング回路１１は、バラクタダイオードのようなアナログ制御素子であってもよい。ＲＦタグ回路１０では、金属片や水、油等の誘電体がアンテナ２０に付着するもしくは接近することで、アンテナ２０のインピーダンスが変化し得る。アンテナ２０のインピーダンス変化によりアンテナ２０とＲＦタグ回路１０内の回路との間のインピーダンス不整合が大きくなると、アンテナ２０からＲＦタグ回路１０内の回路へのエネルギー伝送効率が低下する。そこで、マッチング回路１１によってアンテナ２０とＲＦタグ回路１０内の回路とのインピーダンスを整合させることで、アンテナ２０からＲＦタグ回路１０内の回路へのエネルギー伝送効率の低下が抑制される。マッチング回路１１は、「マッチング回路」の一例である。
【００２０】
整流回路１２は、電波を受信したアンテナ２０が出力する交流電力を整流して直流（ＤＣ）電力を負荷３０及びＲＦタグ回路１０内の各部（負荷制御回路１３、インピーダンス調整制御回路１４）に供給する回路である。図４は、整流回路１２の構成の一例を示す図である。整流回路１２としては、図４に例示されるような、２つのダイオードＤ（Ｄ１とＤ２等）とコンデンサＣ（Ｃ１とＣ２等）とにより構成された倍電圧整流回路を多段接続した回路であってもよい。整流回路１２は、負荷３０の駆動に用いるＶＯＵＴ（電源電圧）とは別に、インピーダンス調整で使用するための別系統の直流信号を生成してもよい。整流回路１２は、「整流回路」の一例である。
【００２１】
通信回路１８は、アンテナ２０を介してリーダライタ装置４０と無線通信を行うための回路である。通信回路１８は、リーダライタ装置４０から受信した電波からコマンド等の情報を取り出す復調回路と、リーダライタ装置４０に送信する情報を電波によって伝送するために変調する変調回路とを含む。通信回路１８は、例えば、リーダライタ装置４０から無線通信によって送信されるコマンドを受信し、また、コマンドの実行結果等の情報をリーダライタ装置４０に無線通信によって送信する。
【００２２】
負荷制御回路１３は、制御部／記憶部１５から受信した信号に応じて負荷３０を起動させる回路である。図５は、負荷制御回路１３の構成の一例を示す図である。負荷制御回路１３としては、図５に例示されるように、負荷３０への電力供給のオンとオフとを切り替えるスイッチSW１３１およびコンデンサ１３２を備える回路を利用することができる。コンデンサ１３２は、例えば、整流回路１２から供給される直流電力を蓄電する。コンデン
サ１３２は、例えば、整流回路１２から供給される直流電力のうち、負荷３０の駆動に利用されない余剰分を蓄電してもよい。余剰分の電力は、例えば、負荷３０の駆動期間外にアンテナ２０が受信した電波によって供給された電力である。コンデンサ１３２に蓄電された電力は負荷３０に供給される。コンデンサ１３２は、容量が比較的大きいもの（例えば、負荷３０の抵抗成分の逆数より容量が大きいもの（時定数の大きい（〜秒オーダー）もの））を選定することで、負荷３０に供給される電圧の降下を抑制できる。このようなコンデンサ１３２が選定されることで、リーダライタ装置４０からの受信状況が悪化する等の理由により瞬間的な電力遮断等が生じた場合でも、負荷３０をより安定して動作させることが可能となる。スイッチSW１３１は、負荷制御回路１３が制御部／記憶部１５から負荷制御信号を受信している間オンにされる。スイッチSW１３１がオンにされることで整流回路１２から供給される直流電力が負荷３０に供給され、負荷３０が起動される。そのため、負荷制御回路１３が負荷制御信号を受信している間、負荷３０は継続して駆動する。
【００２３】
制御部／記憶部１５は、負荷制御回路１３のスイッチSW１３１のオンにする負荷制御信号を所定の周期で送信する。制御部／記憶部１５は、例えば、所定の周期で外部から入力される命令（クロック信号等）に応じて負荷制御信号を負荷制御回路１３に送信することで、負荷制御回路１３のスイッチSW１３１をオンにする。その結果、負荷３０は、所定の周期で起動される。制御部／記憶部１５は、調整トリガ生成回路１６からのインピーダンス調整開始命令に応じて調整開始フラグをオンに設定する。調整開始フラグがオンにされた制御部／記憶部１５は、インピーダンス調整制御回路１４に対してインピーダンス調整の開始を指示するインピーダンス調整を指示する調整制御信号を送信する。
【００２４】
制御部／記憶部１５は、例えば、プロセッサと記憶部とを組み合わせた素子である。プロセッサは単一のプロセッサに限定される訳ではなく、マルチプロセッサ構成であってもよい。また、単一のソケットで接続される単一のプロセッサがマルチコア構成を有していても良い。プロセッサが実行する処理のうち少なくとも一部は、例えば、Digital Signal
Processor（ＤＳＰ）、Graphics Processing Unit（ＧＰＵ）、数値演算プロセッサ、ベクトルプロセッサ、画像処理プロセッサ等の専用プロセッサで行われても良い。また、プロセッサが実行する処理のうち少なくとも一部は、集積回路（ＩＣ）、その他のディジタル回路によって実行されてもよい。また、プロセッサの少なくとも一部にアナログ回路が含まれても良い。集積回路は、Large Scale Integrated circuit（ＬＳＩ）、Application Specific Integrated Circuit（ＡＳＩＣ）、プログラマブルロジックデバイス（ＰＬ
Ｄ）を含む。ＰＬＤは、例えば、Field-Programmable Gate Array（ＦＰＧＡ）を含む。
プロセッサは、プロセッサと集積回路との組み合わせであっても良い。組み合わせは、例えば、マイクロコントローラユニット（ＭＣＵ）、System-on-a-chip（ＳｏＣ）、システムＬＳＩ、チップセットなどと呼ばれる。記憶部は、プロセッサから読み書き可能な記憶媒体である。記憶部は、例えば、プロセッサから直接アクセスされる記憶媒体である。記憶部は、例えば、Random Access Memory（ＲＡＭ）およびRead Only Memory（ＲＯＭ）を含む。制御部／記憶部１５は、「制御部」の一例である。
【００２５】
調整トリガ生成回路１６は、制御部／記憶部１５の調整開始フラグをオンにするインピーダンス調整開始命令を制御部／記憶部１５に送信する。調整トリガ生成回路１６は、例えば、整流回路１２からインピーダンス調整制御回路１４に入力される電源電圧が所定の閾値を下回った際に制御部／記憶部１５に対してインピーダンス調整開始命令を送信する。調整トリガ生成回路１６は、例えば、外部の回路から入力される外部調整トリガが入力された場合にインピーダンス調整開始命令を送信してもよい。調整トリガ生成回路１６は、「指示回路」の一例である。インピーダンス調整開始命令は、「調整指示」の一例である。
【００２６】
図６は、調整トリガ生成回路１６の構成の一例を示す図である。調整トリガ生成回路１６は、例えば、閾値生成回路１６１、比較回路１６２、ＯＲ器１６３およびタイマ１６４を含む。閾値生成回路１６１は、閾値１および閾値２の２種類の閾値を生成する回路である。閾値１は、例えば、インピーダンス調整を開始する基準値となる電圧を示す値である。閾値１は、例えば、負荷３０を安定して動作させることが可能な電圧の下限値に対して安全係数を考慮して決定される。閾値２は、例えば、負荷３０が安定して動作可能な電圧の下限を示す。閾値１は閾値２より大きく、閾値２は負荷３０が駆動可能な電圧値の下限より高い。閾値生成回路１６１は、例えば、整流回路１２から入力される電源電圧に基づいて閾値１を決定してもよい。また、閾値生成回路１６１は閾値２を予めメモリ上に保持してもよい。比較回路１６２は、閾値生成回路１６１から入力される閾値１、閾値２と整流回路１２から入力される電源電圧とを比較する。電源電圧が閾値２より低い場合、負荷３０の安定動作が期待できない。そのため、調整トリガ生成回路１６は、制御部／記憶部１５に対して負荷強制ＯＦＦ信号を送信する。負荷強制ＯＦＦ信号は、負荷３０が起動される所定の周期にかかわらず負荷３０をオフにさせる指示である。負荷強制ＯＦＦ信号は、例えば、負荷３０を安定して動作させ得る電力がコンデンサ１３２に蓄電されるまで継続して出力される。電源電圧が閾値２より大きく閾値１よりは小さい場合は、調整トリガ生成回路１６は制御部／記憶部１５に対して負荷強制ＯＮ信号を送信するとともに、タイマ１６４による計時を開始する。負荷強制ＯＮ信号は、負荷３０が起動される所定の周期にかかわらず負荷３０を継続して駆動させる指示である。タイマ１６４には負荷３０に供給される電源電圧が安定すると考えられる電圧安定期間が記憶されており、調整トリガ生成回路１６はタイマ１６４による計時開始から電圧安定期間経過後に制御部／記憶部１５の調整フラグをオンにする指示を送信する。電源電圧が安定すると考えられる電圧安定期間としては、例えば、負荷３０の時定数の２倍から４倍程度の期間が例示される。
【００２７】
調整トリガ生成回路１６は、例えば、外部調整トリガを用いずに閾値の比較結果に基づいてインピーダンス調整開始命令を送信してもよい。この場合、ＯＲ器１６３が調整トリガ生成回路１６から省略されてもよい。また、調整トリガ生成回路１６は、例えば、閾値を用いずに外部調整トリガが入力された際にインピーダンス調整開始命令を送信してもよい。この場合、閾値生成回路１６１および比較回路１６２が調整トリガ生成回路１６から省略されてもよい。
【００２８】
図６に例示される調整トリガ生成回路１６では、閾値生成回路１６１によって生成された閾値と電源電圧との比較結果と外部調整トリガの入力に基づいてインピーダンス調整開始命令を送信した。しかしながら、調整トリガ生成回路１６がインピーダンス調整開始命令を送信する契機は、これらに限定されない。調整トリガ生成回路１６は、例えば、整流回路１２が生成する電源電圧を監視し、電源電圧の監視結果に基づいてインピーダンス調整開始命令を送信してもよい。電源電圧の監視は、例えば、電源立ち上がりの検出、電池接続の検出、リミッタ解除および図６を参照して説明した閾値との比較を含む。電源立ち上がりの検出は、例えば、Power on Reset（ＰＯＲ）の検出、ＲＦタグ回路１０に接続された外部電源からの電力供給開始、電源電圧が供給されたことによる制御部／記憶部１５の記憶部がmemory read enable状態に遷移したことの検出、を含む。
【００２９】
また、調整トリガ生成回路１６は、内部タイマを備え、内部タイマによって一定時間の経過が計時されるたびに（すなわち定期的に）インピーダンス調整開始命令を送信してもよい。この場合、閾値生成回路１６１、比較回路１６２、ＯＲ器１６３、タイマ１６４が調整トリガ生成回路１６から省略されてもよい。
【００３０】
また、調整トリガ生成回路１６は、ＲＦタグ回路１０が外部入力端子を備え、外部インタフェースから入力される割り込み信号を契機としてインピーダンス調整開始命令を送信してもよい。外部インタフェースは、例えば、General Perpose Input Output（ＧＰＩＯ
）端子である。外部インタフェースで入力される割り込みとしては、例えば、外部インタフェースに接続されたMicro Control Unit（ＭＣＵ）から入力される割り込み、外部インタフェースに接続された外部スイッチから入力される割り込み、を挙げることができる。
【００３１】
また、調整トリガ生成回路１６は、例えば、リーダライタ装置４０に例示される無線通信の相手装置やSerial Peripheral Interface（ＳＰＩ）、Inter-Integrated Circuit（
Ｉ２Ｃ）等の通信インタフェースを介して入力されたコマンドに応じて、インピーダンス調整開始命令を送信してもよい。調整トリガ生成回路１６は、例えば、リーダライタ装置４０から連続波（Continuous Wave, ＣＷ）を受信した場合にRFIDの通信手順により規定
されているコマンドシーケンス（例えばPreamble、Command、parameters、Answer）の開
始タイミングまたは終了タイミングに基づいてインピーダンス調整開始命令を送信してもよい。また、調整トリガ生成回路１６は、受信したコマンドの実行エラーを検知した場合にインピーダンス調整開始命令を送信してもよい。実行エラーは、例えば、負荷３０を起動するコマンドを受信したにもかかわらず、負荷３０の起動ができなかった場合である。また、調整トリガ生成回路１６は、コマンドを受信すると、そのコマンドの実行前または実行後に、インピーダンス調整開始命令を送信してもよい。また、調整トリガ生成回路１６は、インピーダンス調整の実行を指示するコマンドを受信した場合に、インピーダンス調整開始命令を送信してもよい。また、調整トリガ生成回路１６は、特定のコマンドを受信した場合にインピーダンス調整開始命令を送信してもよい。特定のコマンドは、例えば、負荷３０の起動を指示するコマンドである。
【００３２】
インピーダンス調整制御回路１４は、マッチング回路１１のインピーダンスを指定する調整信号（本実施形態では、可変容量コンデンサ５３（図２）の容量を指定する調整信号）を出力する回路である。本実施形態に係るＲＦタグ回路１０には、例えば、図７に示した構成を有するインピーダンス調整制御回路１４が使用されている。
【００３３】
このインピーダンス調整制御回路１４の全体的な動作については後述するが、アップカウンタ６１は、Ｒｅｓｅｔパルスが入力されたときにカウント値を“０”クリアし、ＵＰパルスが入力されたときにカウントアップするカウンタである。このアップカウンタ６１のカウンタ値は、マッチング回路１１のインピーダンス（可変容量コンデンサ５３（図２）の容量）を指定する調整信号として使用されている。
【００３４】
比較器６２は、電源電圧（整流回路１２の出力電圧）ＶＯＵＴとコンデンサ６３の電圧との比較結果を出力する回路である。この比較器６２の出力は、ＣＭＰ＿ＯＵＴ信号線により制御部／記憶部１５に入力されている。スイッチ６４は、Ｃｔｒｌ信号線を介して制御部／記憶部１５によってＯＮ／ＯＦＦ制御されるスイッチである。
【００３５】
図８は、制御部／記憶部１５がインピーダンス調整制御回路１４を制御する制御フローの一例を示す図である。図７の制御フローは、例えば、調整トリガ生成回路１６から制御部／記憶部１５に調整トリガが入力されることで開始される。以下、図７を参照して、制御部／記憶部１５がインピーダンス調整制御回路１４を制御する制御フローの一例について説明する。
【００３６】
調整トリガが入力された制御部／記憶部１５は、まず、Ｒｅｓｅｔパルスを出力する（ステップＳ１０１）。これにより、インピーダンス調整制御回路１４（図７参照）内のアップカウンタ６１のカウント値が“０”にリセットされ、マッチング回路１１内の可変容量コンデンサ５３（図２）の容量が最低容量Ｃ０に調整される。
【００３７】
次いで、制御部／記憶部１５は、Ｃｔｒｌパルスを出力する（ステップＳ１０２）。すなわち、制御部／記憶部１５は、スイッチ６４をＯＮとすることにより、コンデンサ６３
の電圧（比較器６２の−端子への入力電圧）を、その時点における電源電圧ＶＯＵＴと一致させてから、スイッチ６４をＯＦＦとすることにより、コンデンサ６３の電圧をホールドする。
【００３８】
その後、制御部／記憶部１５は、ＵＰパルスを出力（ステップＳ１０３）してから、比較器６２の出力ＣＭＰ＿ＯＵＴがローであるか否かを判定する（ステップＳ１０４）。
【００３９】
ＵＰパルスが入力されると、アップカウンタ６１のカウント値がカウントアップされるため、マッチング回路１１内の可変容量コンデンサ５３の容量が増加する。可変容量コンデンサ５３の容量を増加させた後におけるマッチング回路１１のインピーダンスが適正値とはなっておらず、かつ、マッチング回路１１のインピーダンスが適正値に近づいた場合には、電源電圧が上昇する。一方、可変容量コンデンサ５３の容量を増加させた後におけるマッチング回路１１のインピーダンスが適正値となっていた場合には、電源電圧は殆ど変化しない。また、可変容量コンデンサ５３の容量を増加させた後におけるインピーダンスが適正値となっておらず、かつ、インピーダンスが適正値からさらに外れた場合にも、電源電圧は殆ど変化しない。従って、インピーダンスが適正値となっている場合、または、インピーダンスが適正値からさらに外れる場合には、ＣＭＰ＿ＯＵＴがローになる。そのため、ＣＭＰ＿ＯＵＴがローである場合には、インピーダンスが適正値であるとして、または、インピーダンスが適正値からさらに適正値から外れることを抑制するために、マッチング回路１１のインピーダンスの調整が完了される。また、マッチング回路１１のインピーダンスが適正値とはなっておらず、かつ、マッチング回路１１のインピーダンスが適正値に近づいた場合には、ＣＭＰ＿ＯＵＴがハイになる。そのため、ＣＭＰ＿ＯＵＴがハイである場合には、マッチング回路のインピーダンスの調整が完了していないことになり、インピーダンスの調整が継続して実行される。
【００４０】
そのため、制御部／記憶部１５は、比較器６２の出力ＣＭＰ＿ＯＵＴがハイであった場合（ステップＳ１０４；ＮＯ）には、ステップＳ１０３以降の処理を再び開始する。そして、制御部／記憶部１５は、比較器６２の出力ＣＭＰ＿ＯＵＴがローとなったとき（ステップＳ１０４；ＹＥＳ）に、このインピーダンス調整処理（図８の処理）を終了する。
【００４１】
図９は、実施形態に係る処理フローの一例を示す図である。以下、図９を参照して、実施形態に係る処理フローの一例について説明する。
【００４２】
ＯＰ１では、インピーダンス調整が有効か否かが確認される。インピーダンス調整が有効か否かを示す情報は、例えば、制御部／記憶部１５に予め記憶される。インピーダンス調整が有効な場合（ＯＰ１でＹＥＳ）、処理はＯＰ２に進められる。インピーダンス調整が無効な場合（ＯＰ１でＮＯ）、ＯＰ２からＯＰ５に例示されるインピーダンス調整処理は実行されず、処理はＯＰ７に進められる。
【００４３】
ＯＰ２では、調整トリガ生成回路１６は、インピーダンス調整の指示が外部から入力されたか否か判定する。外部からの指示は、例えば、外部調整トリガ、リーダライタ装置４０からのコマンド、ＳＰＩやＩ２Ｃを介して入力されたコマンド等である。インピーダンス調整の指示が外部から入力された場合（ＯＰ２でＹＥＳ）、処理はＯＰ５に進められる。インピーダンス調整の指示が外部から入力されていない場合（ＯＰ２でＮＯ）、処理はＯＰ３に進められる。
【００４４】
ＯＰ３では、調整トリガ生成回路１６は、整流回路１２から入力される電源電圧が閾値２未満であるか否かを判定する。閾値２は、上述の通り、負荷３０を安定動作可能な電圧の下限であるため、入力電圧が閾値２未満である場合、負荷３０の安定動作は期待できない。そのため、入力電圧が閾値２未満である場合（ＯＰ３でＹＥＳ）、インピーダンス調
整不可と判定され、処理はＯＰ８に進められる。閾値２以上である場合（ＯＰ３でＮＯ）、入力電圧が負荷３０を安定動作可能であることからインピーダンス調整可能と判定され、処理はＯＰ４に進められる。
【００４５】
ＯＰ４では、制御部／記憶部１５は、調整開始フラグがオンに設定されているか否かを判定する。調整開始フラグは、例えば、調整トリガ生成回路１６からのインピーダンス調整開始命令によってオンにされる。調整トリガ生成回路１６は、例えば、負荷３０が起動されてから電圧安定期間が経過すると、インピーダンス調整開始命令を送信する。調整開始フラグがオンに設定されている場合（ＯＰ４でＹＥＳ）、制御部／記憶部１５は、負荷制御信号を負荷制御回路１３に送信することで、所定の周期にかかわらずスイッチSW１３１をオンにする。以降、スイッチSW１３１は、通常負荷３０を起動させる所定の周期にかかわらずＯＰ６でオフにされるまでの間、オンの状態が維持される。すなわち、負荷３０の起動されてから停止するまでの時間である駆動時間が延長される。以下、本明細書において、所定の周期にかかわらずスイッチSW１３１をオンにすることを、スイッチSW１３１の強制オンと称する。
【００４６】
ＯＰ５では、インピーダンス調整制御回路１４は、調整信号をマッチング回路１１に送信してインピーダンスの調整を行う。インピーダンス調整の詳細については後述する。ＯＰ６では、制御部／記憶部１５は、スイッチSW１３１の強制オンを解除する。すなわち、スイッチSW１３１の強制オンが解除された結果、負荷３０を駆動する駆動時間の延長は終了する。さらに、ＯＰ６では、制御部／記憶部１５は、調整トリガ生成回路１６のタイマ１６４を“０”にリセットする。
【００４７】
ＯＰ７では、制御部／記憶部１５は負荷制御回路１３に対して負荷制御信号を所定の期間送信する。負荷制御回路１３は、負荷制御信号を受信している間、スイッチSW１３１をオンにする。すなわち、ＯＰ７では、負荷３０は所定の期間駆動される。
【００４８】
ＯＰ８では、調整トリガ生成回路１６は、負荷強制ＯＦＦ信号を制御部／記憶部１５に送信する。負荷強制ＯＦＦ信号を受信した制御部／記憶部１５は、負荷制御信号を負荷制御回路１３に送信することで、負荷３０が起動される所定の周期にかかわらず、負荷３０をオフにする。さらに、制御部／記憶部１５は、インピーダンス調整を実行できなかったことを示すエラー報告をリーダライタ装置４０に送信してもよい。
【００４９】
図９を参照して説明した実施形態に係る処理フローにおいて、制御部／記憶部１５は、調整開始フラグがオンに設定されている場合（ＯＰ４でＹＥＳ）に負荷３０の駆動時間を延長し、ＯＰ５によるインピーダンスの調整を実行した。この駆動時間の延長およびインピーダンスの調整は、調整トリガ生成回路１６からのインピーダンス調整開始命令が調整フラグをオンに設定した周期と同じ周期内に実行されてもよいし、調整フラグがオンにされた周期の次以降の周期に実行されてもよい。すなわち、制御部／記憶部１５は、インピーダンス調整開始命令を受信してから任意のタイミングで駆動時間を延長してインピーダンスの調整を実行できる。
【００５０】
図１０は、実施形態におけるインピーダンス調整の処理フローの一例を示す図である。図１０に例示される処理は、例えば、図９のＯＰ５で実行される処理である。図１０に例示される処理では、図８におけるアップカウンタ６１へのＲｅｓｅｔパルス送信は既に行われているものとする。以下、図１０を参照して、実施形態におけるインピーダンス調整の処理フローの一例について説明する。
【００５１】
ＯＰ１１では、制御部／記憶部１５は、整流回路１２からインピーダンス調整制御回路１４に入力される電源電圧（図中では監視電圧と記載）をサンプルホールド（Ｓ／Ｈ）す
る。ＯＰ１１の処理は、例えば、図８のＳ１０２の処理に相当する。ＯＰ１２では、インピーダンス調整制御回路１４はマッチング回路１１のインピーダンスを上昇させる調整信号を送信する。調整信号を受信したマッチング回路１１は、例えば、可変容量コンデンサ５３の容量を変更することで、マッチング回路１１のインピーダンスをΔＺ上昇させる。ＯＰ１２の処理は、例えば、図８のＳ１０３の処理に相当する。ＯＰ１３では、制御部／記憶部１５は、ＯＰ１２によるインピーダンス上昇後における電源電圧を取得する。制御部／記憶部１５は、ＯＰ１２で取得した電源電圧とＯＰ１１でＳ／Ｈした電源電圧との差がδＶ未満であるか否かを判定する。ここで、δＶは、インピーダンス調整制御回路１４の比較器１４１の分解能によって定まる値である。また、δＶは、は所定の閾値であってもよい。δＶ未満である場合（ＯＰ１３でＹＥＳ）、インピーダンス調整処理は終了する。δＶ未満ではない場合（ＯＰ１３でＮＯ）、処理はＯＰ１１に戻る。ＯＰ１３の処理は、図８のＳ１０４に相当する。図１０に例示されるように、電源電圧の上昇幅が比較器１４１の分解能未満または所定の閾値未満となるまでの間、ＯＰ１１、ＯＰ１２の処理が繰り返され、マッチング回路１１のインピーダンスが調整される。
【００５２】
図１１は、実施形態における整流回路１２から出力される電源電圧の変動の一例を示す図である。図１１では、縦軸に電圧、横軸に時間が例示される。図１１では、負荷３０が起動されるタイミングを「負荷ＯＮ」または「ＯＮ」、負荷３０が停止されるタイミングを「負荷ＯＦＦ」または「ＯＦＦ」と記載している。すなわち、実施形態に係る負荷３０は、所定の周期で「負荷ＯＮ」されるとともに、「負荷ＯＮ」されてから「負荷ＯＦＦ」されるまでの間は継続して駆動される。図１１に例示されるように、負荷３０が起動すると、負荷３０の起動に伴う電圧降下により、整流回路１２が出力する電源電圧が低下する。ＲＦタグ回路１０に水等が付着することでアンテナ２０とＲＦタグ回路１０とのインピーダンス不整合が生じると、整流回路１２から出力される電源電圧が負荷３０の起動に伴う電圧降下によってインピーダンス調整開始の契機となる閾値１（図６）を下回る。電源電圧が閾値１を下回ると、図９で説明したようにスイッチSW１３１が強制オンにされ、インピーダンス調整が実行される。強制オンはアンテナ２０とＲＦタグ回路１０のインピーダンスが整合するまで継続する。強制オンの結果、負荷３０の駆動時間が延長される。インピーダンス調整は、図１０を参照して説明したように、マッチング回路１１のインピーダンスをΔＺずつ上昇させて行われる。そのため、インピーダンス調整時の電源電圧は、図１１に例示されるように、階段状に上昇する。アンテナ２０とＲＦタグ回路１０のインピーダンスが整合すると、強制オンが解除され、スイッチSW１３１は所定の周期でオンオフされるようになる。すなわち、実施形態では、インピーダンス調整時には、インピーダンスが整合するまでの間、スイッチSW１３１がオンの状態で維持される。
【００５３】
図１２は、整流回路１２からの電源電圧と負荷制御信号、インピーダンス調整開始命令の波形の一例を示す図である。図１２において、「ＴＯＮ」の期間は負荷３０が駆動している期間の例示であり、「ＴＯＦＦ」の期間は負荷３０が駆動していない期間の例示である。さらに、「ＴＯＮ＿ｓｔａｂｌｅ」は電源電圧が安定したと判定されるまでの期間の例示であり、「ＴＯＮ＿ｅｘｔ」の期間は、負荷３０の駆動時間の延長期間の例示である。図１２では、「ＴＯＮ＿ｓｔａｂｌｅ」の期間として、負荷３０の時定数τの４倍の時間（４τ）が例示されている。図１２に例示されるように、負荷３０が駆動時における整流回路１２からの電源電圧が閾値１（図１２ではＶＴＨと記載）を下回ると、負荷３０の駆動時間が延長される。電源電圧が安定すると（すなわち、「ＴＯＮ＿ｅｘｔ」の期間経過すると）、調整トリガ生成回路１６からインピーダンス調整開始命令が制御部／記憶部１５に対して送信される。図１２の例では、インピーダンスが整合するまでの時間は、負荷３０の時定数τと同じ長さになっている。そのため、図１２の例では、「ＴＯＮ＿ｅｘｔ」の期間は、「ＴＯＮ＿ｓｔａｂｌｅ」の期間とインピーダンスが整合するまでの時間を合計した、時定数の５倍（５τ）となる。なお、図１２において、インピーダンス調整時の電源電圧の上昇は、図１１に例示されるように階段状に上昇するが、図１２では簡略
化してなだらかな曲線として記載している。
【００５４】
実施形態との比較のため、比較例について検討する。比較例に係るＲＦタグ回路では、負荷の駆動時間はインピーダンス調整の有無に関わらず一定である。すなわち、比較例では、アンテナとＲＦタグ回路とのインピーダンス不整合が生じていない場合でも、負荷の応答とインピーダンス調整が可能な負荷の駆動時間が確保される。図１３は、所定の周期で実行される処理の一例を示す図である。図１３では、実施形態に係る所定の周期で実行される処理の一例とともに、比較例に係る所定の周期で実行される処理の一例も例示される。図１３の例では、実施形態および比較例のいずれも、所定の周期の間に負荷が駆動する「負荷ＯＮ」と負荷によって収集されたデータを送信する「ＳＰＩ通信」とが行われる。実施形態では、アンテナ２０とＲＦタグ回路１０とのインピーダンス不整合が生じていない場合は、負荷３０の応答時間に応じた期間継続して負荷３０は駆動する。すなわち、インピーダンス不整合が生じていない場合、実施形態に係る負荷３０の駆動時間は、比較例に係る負荷の駆動時間よりもインピーダンス調整時間の分だけ短かい。そのため、実施形態では負荷駆動以外の処理（図１３では、ＳＰＩ通信が例示される）に割り当て可能な時間が比較例よりも多くなる。そのため、図１３に例示されるように、比較例よりも実施形態の方が多くの時間をＳＰＩ通信に割り当てることができる。そのため、比較例ではＳＰＩ通信で送信されるデータが８ｂｉｔであるのに対し、実施形態では１６ｂｉｔとすることが可能となり、実施形態に係るＲＦタグ回路１０は比較例に係るＲＦタグ回路よりも多くのデータを送信できる。
【００５５】
＜実施形態の作用効果＞
実施形態では、上述の通り、インピーダンス調整を行わないときは、負荷３０の駆動時間は、負荷３０のインピーダンス調整にかかる時間を考慮せずに決定される。また、実施形態では、アンテナ２０とＲＦタグ回路１０とのインピーダンス不整合が生じると、インピーダンス調整が可能となるように負荷３０の駆動時間が延長される。そのため、実施形態によれば、負荷が駆動するたびにインピーダンス調整を行う比較例よりも負荷３０の駆動時間を短縮できる。その結果、実施形態によれば、通信によって例示されるその他の処理に対して比較例よりも多くの時間を割り当て可能となる。
【００５６】
実施形態では、図９のＯＰ８に例示されるように、整流回路１２からの電源電圧が閾値２（負荷３０の安定稼働の下限）を下回る場合、負荷３０を強制オフにするとともに、インピーダンス調整を実行できなかったことを示すエラー報告をリーダライタ装置４０に送信する。そのため、実施形態によれば、電源電圧が負荷３０の駆動に不足していることをリーダライタ装置４０に通知できる。
【００５７】
実施形態では、整流回路１２からの電源電圧が閾値１（図６）を下回ると、図９で説明したように、インピーダンス調整が実行される。整流回路１２からの電源電圧が負荷３０の起動に伴う電圧降下により閾値１を下回る場合は、例えば、負荷３０を安定して動作させることが困難となる。そのため、実施形態によれば、ＲＦタグ回路１０は負荷３０を安定して動作させることが困難な場合にインピーダンスの調整を実行できる。
【００５８】
実施形態では、上述の通り、調整トリガ生成回路１６は、リーダライタ装置４０から受信した負荷に対するコマンドの実行結果がエラーであったことを契機として、調整指示を送信してもよい。負荷３０に対するコマンドの実行結果がエラーである場合、アンテナ２０とＲＦタグ回路１０とのインピーダンスの不整合による影響で整流回路１２が生成する電圧が低下し、その結果、負荷３０が安定動作していない場合が考えられる。そのため、実施形態によれば、ＲＦタグ回路は負荷が安定動作していない場合にインピーダンスの調整を実行できる。
【００５９】
実施形態では、上述の通り、調整トリガ生成回路１６は、リーダライタ装置４０からインピーダンス調整の指示を受信したことを契機として、調整指示を送信してもよい。リーダライタ装置４０は、例えば、負荷３０からの応答でエラーを受信した場合や負荷３０に対してコマンドを送信する場合等にインピーダンス調整の指示を送信する。そのため、実施形態によれば、ＲＦタグ回路１０はリーダライタ装置４０からの指示に応じてインピーダンスの調整を実行できる。
【００６０】
＜第１変形例＞
実施形態では、アンテナ２０とＲＦタグ回路１０とのインピーダンスが不整合になると、整流回路１２からの電源電圧が安定するまで待機してからインピーダンス調整が実施される。電源電圧が安定するまでの時間は、調整トリガ生成回路１６のタイマ１６４によってあらかじめ決定された電圧安定期間（例えば、図１２に例示される４τ）が計時される。第１変形例では、電圧安定期間は駆動延長時間として外部から補助記憶部に記憶される。以下、図面を参照して第１変形例について説明する。なお、実施形態と同一の構成については同一の符号を付し、その説明を省略する。
【００６１】
図１４は、第１変形例に係るＲＦタグ回路１０ａの構成の一例を示す図である。図１４では、リーダライタ装置４０および通信回路１８の図示は省略している。第１変形例に係るＲＦタグ回路１０ａは、調整トリガ生成回路１６が調整トリガ生成回路１６ａに置き換えられるとともに、補助記憶部１７が追加される点で実施形態に係るＲＦタグ回路１０とは異なる。
【００６２】
補助記憶部１７は、不揮発性のメモリであり、外部から書き換え可能である。補助記憶部１７には、例えば、インピーダンス調整を行う際に電源電圧が安定するまでの時間を示す駆動延長時間が記憶される。駆動延長時間は、例えば、リーダライタ装置４０によって例示される外部装置から補助記憶部１７に書き込まれる。また、駆動時間は、ＲＦタグ回路１０ａの製造時に補助記憶部１７に書き込まれてもよい。補助記憶部１７は、「記憶部」の一例である。駆動延長時間は「時間情報」の一例である。
【００６３】
インピーダンスが調整される場合、調整トリガ生成回路１６ａは、負荷強制ＯＮ信号を送信してから補助記憶部１７に記憶された駆動延長時間経過後、インピーダンス調整開始命令を制御部／記憶部１５に送信する。補助記憶部１７に記憶された駆動延長時間は書き換え可能である。そのため、例えば、負荷３０とは時定数の異なる負荷がＲＦタグ回路１０ａに接続されることで電源電圧が安定するまでの時間が変動しても、補助記憶部１７に記憶された駆動延長時間を書き換えることで、第１変形例に係るＲＦタグ回路１０ａは当該負荷のインピーダンス調整を適切に実行できる。
【００６４】
＜第２変形例＞
第１変形例では、駆動延長時間が補助記憶部１７に記憶された。第２変形例では、整流回路１２から供給される電源電圧が安定したことを検出する電源安定化検出回路が追加される。以下、図面を参照して第２変形例について説明する。なお、実施形態と同一の構成については同一の符号を付し、その説明を省略する。
【００６５】
図１５は、第２変形例に係るＲＦタグ回路１０ｂの構成の一例を示す図である。図１５では、リーダライタ装置４０および通信回路１８の図示は省略している。第２変形例に係るＲＦタグ回路１０ｂは、調整トリガ生成回路１６が調整トリガ生成回路１６ｂに置き換えられる点で、実施形態に係るＲＦタグ回路１０とは異なる。
【００６６】
図１６は、第２変形例に係る調整トリガ生成回路１６ｂの構成の一例を示す図である。第２変形例に係る調整トリガ生成回路１６ｂは、タイマ１６４の代わりにスイッチＳＷ１
６６を介して接続される電源安定化検出回路１６５を備える点で、実施形態に係る調整トリガ生成回路１６とは異なる。電源安定化検出回路１６５は、例えば、電源電圧の変動幅が所定幅以下である場合に、電源電圧が安定したと判定する。電源安定化検出回路１６５は、例えば、微分回路と比較回路（図中では、ＣＯＭＰと記載）を含む。電源安定化検出回路１６５は、例えば、電源電圧の時間微分が所定値より小さくなったときに、電源電圧が安定したと判定する。電源安定化検出回路１６５によって電源電圧が安定したと判定されると、調整トリガ生成回路１６ｂはインピーダンス調整開始命令を送信することで、制御部／記憶部１５の調整トリガをオンに設定する。電源安定化検出回路１６５は、「変動検出回路」の一例である。
【００６７】
第２変形例では、電源安定化検出回路１６５によって、電源電圧の安定を検出した。電源電圧が安定するまでの時間に変動があっても適切にインピーダンス調整を行うことができる。また、第２変形例によれば、駆動延長時間をあらかじめ設定しなくともよい。
【００６８】
以上説明した実施形態や変形例では、負荷３０は所定の周期で起動と停止を繰り返した。しかしながら、負荷３０の起動は所定の周期で行われなくともよい。すなわち、負荷３０は起動と停止が繰り返されればよい。負荷３０の駆動時間は、あらかじめ制御部／記憶部１５に記憶された時間でもよいし、リーダライタ装置４０からの負荷３０の起動および停止を指示するコマンドによって決定されてもよいし、電波の受信状況等の周囲の環境変化によって決定されてもよいし、ユーザによって指定されてもよい。また、駆動時間は、負荷３０が起動されるたびに指定されてもよい。
【００６９】
以上説明した実施形態や変形例では、マッチング回路１１内の可変容量コンデンサ５３の容量を単調増加させる線形探索によってインピーダンスの調整が実施された。しかしながら、インピーダンスの調整のアルゴリズムが、可変容量コンデンサ５３の容量を単調増加させる線形探索に限定されるわけではない。例えば、可変容量コンデンサ５３の容量を単調減少させる線形探索によってインピーダンスの調整が実施されてもよい。また、二分探索、木探索等の任意の探索アルゴリズムによってインピーダンスの調整が実施されてもよい。
【００７０】
以上で開示した実施形態や変形例はそれぞれ組み合わせる事ができる。
【符号の説明】
【００７１】
１０、１０ａ、１０ｂ・・・ＲＦタグ回路
１１・・・マッチング回路
１２・・・整流回路
１３・・・負荷制御回路
１３２・・・コンデンサ
１４・・・インピーダンス調整制御回路
１５・・・制御部／記憶部
１６、１６ａ、１６ｂ・・・調整トリガ生成回路
１７・・・補助記憶部
１８・・・通信回路
２０、４１・・・アンテナ
３０・・・負荷
４０・・・リーダライタ装置
４２・・・リーダライタ
４３・・・上位装置
【図１】
2019054396.tif 000003
【図２】
2019054396.tif 000004
【図３】
2019054396.tif 000005
【図４】
2019054396.tif 000006
【図５】
2019054396.tif 000007
【図６】
2019054396.tif 000008
【図７】
2019054396.tif 000009
【図８】
2019054396.tif 000010
【図９】
2019054396.tif 000011
【図１０】
2019054396.tif 000012
【図１１】
2019054396.tif 000013
【図１２】
2019054396.tif 000014
【図１３】
2019054396.tif 000015
【図１４】
2019054396.tif 000016
【図１５】
2019054396.tif 000017
【図１６】
2019054396.tif 000018